(57)【要約】【課題】振幅の減衰を抑制するとともに回路規模の増大を抑制し、信号品質を向上させること。【解決手段】重み付け部１０１は、重み付け係数をあらかじめ記憶する。シンボルマッピング部１０２は、送信データを各サブキャリアにマッピングするとともに、マッピングの際に、フィルタ部１０５のフィルタ特性により減衰する振幅の分だけ振幅が大きくなるように、重み付け部１０１で記憶している重み付け係数を送信データの振幅に対してサブキャリア毎に乗算する。ＩＦＦＴ部１０３は、ＩＦＦＴする。ピーククリップ部１０４は、閾値以上の振幅を抑圧する。フィルタ部１０５は、所定のフィルタ特性を有しており、不要な高周波数の成分を除去する。【選択図】図１
2008104091.tif 000002
【特許請求の範囲】
【請求項１】
周波数軸上に配列する各サブキャリアに送信データをマッピングするシンボルマッピング手段と、
前記シンボルマッピング手段で各サブキャリアにマッピングした送信データを周波数領域から時間領域へ変換して時間成分に分解する周波数領域・時間領域変換手段と、
前記時間成分に分解した送信データの振幅がしきい値以上の場合に前記しきい値以上の振幅を所定量抑圧するクリップ手段と、
前記クリップ手段で振幅を抑圧した送信データにおける不要な周波数成分を除去するフィルタ手段と、
前記フィルタ手段で不要な周波数成分を除去した送信データを変調する変調手段と、
前記変調手段で変調した送信データを送信する送信手段と、
を具備するＯＦＤＭ送信装置であって、
前記シンボルマッピング手段は、前記フィルタ手段におけるフィルタ特性に基づいて送信データの振幅に対してサブキャリア毎に重み付けするＯＦＤＭ送信装置。
【請求項２】
前記シンボルマッピング手段は、所定の帯域内における送信データに対して、前記フィルタ手段で不要な周波数成分を除去する際の前記フィルタ特性により減衰する振幅の分だけ振幅が大きくなるようにサブキャリア毎に重み付けする請求項１記載のＯＦＤＭ送信装置。
【請求項３】
周波数軸上の各サブキャリアに送信データをマッピングするシンボルマッピング手段と、
前記シンボルマッピング手段で各サブキャリアにマッピングした送信データを周波数領域から時間領域へ変換して時間成分に分解する第一周波数領域・時間領域変換手段と、
前記時間成分に分解した送信データの振幅がしきい値以上の場合に前記しきい値以上の振幅を所定量抑圧するクリップ手段と、
前記クリップ手段で振幅を抑圧した送信データを時間領域から周波数領域に変換して周波数成分に分解する時間領域・周波数領域変換手段と、
前記周波数成分に分解した送信データの振幅に対してフィルタ特性に基づいてサブキャリア毎に重み付けする重み付け手段と、
前記重み付け手段で重み付けした送信データを周波数領域から時間領域に変換して時間成分に分解する第二周波数領域・時間領域変換手段と、
前記フィルタ特性を有するとともに前記第二周波数領域・時間領域変換手段で時間領域に分解した送信データにおける不要な周波数成分を除去するフィルタ手段と、
前記フィルタ手段で不要な周波数成分を除去した送信データを変調する変調手段と、
前記変調手段で変調した送信データを送信する送信手段と、
を具備するＯＦＤＭ送信装置。
【請求項４】
前記シンボルマッピング手段は、所定の帯域内における送信データに対して、前記フィルタ手段で不要な周波数成分を除去する際の前記フィルタ特性により減衰する振幅の分だけ振幅が大きくなるようにサブキャリア毎に重み付けする請求項３記載のＯＦＤＭ送信装置。
【請求項５】
周波数軸上に配列する各サブキャリアに送信データをマッピングするステップと、
各サブキャリアにマッピングした送信データを周波数領域から時間領域へ変換して時間成分に分解するステップと、
前記時間成分に分解した送信データの振幅がしきい値以上の場合に前記しきい値以上の振幅を所定量抑圧するステップと、
振幅を抑圧した送信データにおける不要な周波数成分をフィルタにより除去するステップと、
前記フィルタで不要な周波数成分を除去した送信データを変調するステップと、
変調した送信データを送信するステップと、
を具備するＯＦＤＭ送信方法であって、
前記マッピングの際に前記フィルタのフィルタ特性に基づいて送信データの振幅に対してサブキャリア毎に重み付けするＯＦＤＭ送信方法。
【請求項６】
周波数軸上の各サブキャリアに送信データをマッピングするステップと、
各サブキャリアにマッピングした送信データを周波数領域から時間領域へ変換して時間成分に分解するステップと、
前記時間成分に分解した送信データの振幅がしきい値以上の場合に前記しきい値以上の振幅を所定量抑圧するステップと、
振幅を抑圧した送信データを時間領域から周波数領域に変換して周波数成分に分解するステップと、
前記周波数成分に分解した送信データの振幅に対してフィルタ特性に基づいてサブキャリア毎に重み付けするステップと、
前記重み付けした送信データを周波数領域から時間領域に変換して時間成分に分解するステップと、
前記重み付け後に時間領域に分解した送信データにおける不要な周波数成分を前記フィルタ特性を有するフィルタで除去するステップと、
前記フィルタで不要な周波数成分を除去した送信データを変調するステップと、
変調した送信データを送信するステップと、
を具備するＯＦＤＭ送信方法。
【発明の詳細な説明】
【技術分野】
【０００１】
本発明は、ＯＦＤＭ送信装置及びＯＦＤＭ送信方法に関し、特にしきい値以上のピークをカットした後にフィルタ処理により帯域外成分を除去するＯＦＤＭ送信装置及びＯＦＤＭ送信方法に関する。
【背景技術】
【０００２】
従来、ＯＦＤＭ伝送におけるピーク電力の低減方法として、送信信号の閾値以上のピークを検出し、検出したピーク成分を閾値までカットして出力する方法が知られている（例えば、特許文献１）。この方法では、単にピーク成分をカットするだけでは，帯域外に漏れる電力が大きくなるため、フィルタ処理で帯域外成分を除去する必要がある。図８は、フィルタで不要な帯域外成分のみを除去した際の理想状態を示す図である。不要な帯域外成分を除去する際には、図８に示す理想状態にできる限り近づくようにするのが好ましい。
【特許文献１】特開２００２−４４０５４号公報
【発明の開示】
【発明が解決しようとする課題】
【０００３】
しかしながら、従来の方法においては、送信する信号の帯域内に影響を及ぼさずに不要な帯域のみを除去するためには、図９に示す様に急峻なフィルタ特性９０１のフィルタが必要となり、回路規模が増大するという問題がある。
【０００４】
本発明はかかる点に鑑みてなされたものであり、ＯＦＤＭのシンボルに対して重み付けすることにより緩やかなフィルタ特性のフィルタを用いることができるので、振幅の減衰を抑制することができるとともに回路規模の増大を抑制することができる一方で、不要成分を十分に抑圧することができるので信号品質を向上させることができるＯＦＤＭ送信装置及びＯＦＤＭ送信方法を提供することを目的とする。
【課題を解決するための手段】
【０００５】
本発明のＯＦＤＭ送信装置は、周波数軸上に配列する各サブキャリアに送信データをマッピングするシンボルマッピング手段と、前記シンボルマッピング手段で各サブキャリアにマッピングした送信データを周波数領域から時間領域へ変換して時間成分に分解する周波数領域・時間領域変換手段と、前記時間成分に分解した送信データの振幅がしきい値以上の場合に前記しきい値以上の振幅を所定量抑圧するクリップ手段と、前記クリップ手段で振幅を抑圧した送信データにおける不要な周波数成分を除去するフィルタ手段と、前記フィルタ手段で不要な周波数成分を除去した送信データを変調する変調手段と、前記変調手段で変調した送信データを送信する送信手段と、を具備するＯＦＤＭ送信装置であって、前記シンボルマッピング手段は、前記フィルタ手段におけるフィルタ特性に基づいて送信データの振幅に対してサブキャリア毎に重み付けする構成を採る。
【０００６】
また、本発明のＯＦＤＭ送信装置は、周波数軸上の各サブキャリアに送信データをマッピングするシンボルマッピング手段と、前記シンボルマッピング手段で各サブキャリアにマッピングした送信データを周波数領域から時間領域へ変換して時間成分に分解する第一周波数領域・時間領域変換手段と、前記時間成分に分解した送信データの振幅がしきい値以上の場合に前記しきい値以上の振幅を所定量抑圧するクリップ手段と、前記クリップ手段で振幅を抑圧した送信データを時間領域から周波数領域に変換して周波数成分に分解する時間領域・周波数領域変換手段と、前記周波数成分に分解した送信データの振幅に対してフィルタ特性に基づいてサブキャリア毎に重み付けする重み付け手段と、前記重み付け手段で重み付けした送信データを周波数領域から時間領域に変換して時間成分に分解する第二周波数領域・時間領域変換手段と、前記フィルタ特性を有するとともに前記第二周波数領域・時間領域変換手段で時間領域に分解した送信データにおける不要な周波数成分を除去するフィルタ手段と、前記フィルタ手段で不要な周波数成分を除去した送信データを変調する変調手段と、前記変調手段で変調した送信データを送信する送信手段と、を具備する構成を採る。
【０００７】
本発明のＯＦＤＭ送信方法は、周波数軸上に配列する各サブキャリアに送信データをマッピングするステップと、各サブキャリアにマッピングした送信データを周波数領域から時間領域へ変換して時間成分に分解するステップと、前記時間成分に分解した送信データの振幅がしきい値以上の場合に前記しきい値以上の振幅を所定量抑圧するステップと、振幅を抑圧した送信データにおける不要な周波数成分をフィルタにより除去するステップと、前記フィルタで不要な周波数成分を除去した送信データを変調するステップと、変調した送信データを送信するステップと、を具備するＯＦＤＭ送信方法であって、前記マッピングの際に前記フィルタのフィルタ特性に基づいて送信データの振幅に対してサブキャリア毎に重み付けするようにした。
【０００８】
また、本発明のＯＦＤＭ送信方法は、周波数軸上の各サブキャリアに送信データをマッピングするステップと、各サブキャリアにマッピングした送信データを周波数領域から時間領域へ変換して時間成分に分解するステップと、前記時間成分に分解した送信データの振幅がしきい値以上の場合に前記しきい値以上の振幅を所定量抑圧するステップと、振幅を抑圧した送信データを時間領域から周波数領域に変換して周波数成分に分解するステップと、前記周波数成分に分解した送信データの振幅に対してフィルタ特性に基づいてサブキャリア毎に重み付けするステップと、前記重み付けした送信データを周波数領域から時間領域に変換して時間成分に分解するステップと、前記重み付け後に時間領域に分解した送信データにおける不要な周波数成分を前記フィルタ特性を有するフィルタで除去するステップと、前記フィルタで不要な周波数成分を除去した送信データを変調するステップと、変調した送信データを送信するステップと、を具備するようにした。
【発明の効果】
【０００９】
本発明によれば、ＯＦＤＭのシンボルに対して重み付けすることにより緩やかなフィルタ特性のフィルタを用いることができるので、振幅の減衰を抑制することができるとともに回路規模の増大を抑制することができる一方で、不要成分を十分に抑圧することができるので信号品質を向上させることができる。
【発明を実施するための最良の形態】
【００１０】
以下、本発明の実施の形態について、図面を参照して詳細に説明する。
【００１１】
（実施の形態１）
図１は、本発明の実施の形態１に係るＯＦＤＭ送信装置１００の構成を示すブロック図である。
【００１２】
重み付け部１０１は、サブキャリア毎の重み付け係数をあらかじめ記憶している。具体的には、重み付け部１０１は、後述するフィルタ部１０５のフィルタ特性により信号の振幅が減衰する分だけ振幅を大きくするための重み付け係数を記憶している。そして、重み付け部１０１は、送信データがシンボルマッピング部１０２に入力するタイミングで、記憶している重み付け係数をシンボルマッピング部１０２へ出力する。
【００１３】
シンボルマッピング部１０２は、周波数軸上に配列した各サブキャリアに対して、変調方式及び符号化率に応じた送信データのシンボルマッピングを行う。また、シンボルマッピング部１０２は、重み付け部１０１から入力した重み付け係数を、マッピングする送信データに対してサブキャリア毎に乗算することにより、各サブキャリアにマッピングされる送信データの振幅に対して重み付けを行う。そして、シンボルマッピング部１０２は、重み付け及びマッピングした各サブキャリアの送信データを逆高速フーリエ変換（以下「ＩＦＦＴ」と記載する）部１０３へ出力する。
【００１４】
周波数領域・時間領域変換手段であるＩＦＦＴ部１０３は、シンボルマッピング部１０２から入力した、マッピングにより周波数軸上の各サブキャリアに並べられた送信データをＩＦＦＴして時間領域から周波数領域へ変換することにより、送信データを時間成分に分解する。そして、ＩＦＦＴ部１０３は、ＩＦＦＴした送信データをＩ／Ｑベースバンド信号としてピーククリップ部１０４へ出力する。
【００１５】
クリップ手段であるピーククリップ部１０４は、ＩＦＦＴ部１０３から入力したＩ／Ｑベースバンド信号に対して、振幅が閾値以上の場合に、振幅が閾値以下になるように、閾値以上のピーク成分を除去する。そして、ピーククリップ部１０４は、ピーク成分を除去したＩ／Ｑベースバンド信号をフィルタ部１０５へ出力する。
【００１６】
フィルタ部１０５は、所定のフィルタ特性を有しており、ピーククリップ部１０４から入力した、ピーク成分が除去されたＩ／Ｑベースバンド信号における不要な高周波帯域の成分を除去する。そして、フィルタ部１０５は、不要な高周波帯域の成分を除去したＩ／Ｑベースバンド信号を直交変調部１０６へ出力する。
【００１７】
変調手段である直交変調部１０６は、フィルタ部１０５から入力したＩ／Ｑベースバンド信号を直交変調して送信信号を生成し、生成した送信信号を送信ＲＦ部１０７へ出力する。
【００１８】
送信ＲＦ部１０７は、直交変調部１０６から入力した送信信号をベースバンド周波数から無線周波数へアップコンバートしてアンテナ１０８へ出力する。
【００１９】
アンテナ１０８は、送信ＲＦ部１０７から入力した送信信号を送信する。
【００２０】
次に、ＯＦＤＭ送信装置１００の動作について、説明する。
【００２１】
最初に、シンボルマッピング部１０２は、周波数軸上に配列した各サブキャリアにマッピングした送信データの振幅（電力）に対して、サブキャリア毎に重み付けを行う。
【００２２】
図２は、シンボルマッピング部１０２で各サブキャリアにマッピングされた重み付け後の送信データを示す図である。シンボルマッピング部１０２は、周波数軸上に配列したサブキャリア０〜サブキャリアＫ（Ｋは１以上の任意の整数）に対して、送信データをマッピングする。その際に、シンボルマッピング部１０２は、サブキャリアＫにマッピングされた送信データの振幅がフィルタ部１０５のフィルタ特性により減衰する場合に、サブキャリアＫにマッピングした送信データの振幅に対して重み付けを行う。具体的には、シンボルマッピング部１０２は、フィルタ部１０５のフィルタ特性により、閾値２０１より減衰量Ｈ１だけ振幅が減衰する場合に、フィルタ部１０５のフィルタ特性の逆特性だけ振幅が大きくなるように、即ち閾値２０１よりフィルタ部１０５のフィルタ特性により減衰する分の減衰量Ｈ１だけ振幅が大きくなるように重み付けを行う。
【００２３】
次に、ＩＦＦＴ部１０３は、ＩＦＦＴにより、各サブキャリアにマッピングした送信データを、周波数領域信号から時間領域信号に変換して時間成分に分解する。
【００２４】
図３は、時間成分に分解したＩ／Ｑベースバンド信号を示す図である。図３より、時間成分に分解したＩ／Ｑベースバンド信号は、閾値３０１よりも振幅が大きいピーク成分Ｐ１が現れている。
【００２５】
次に、ピーククリップ部１０４は、ピーク成分の振幅を閾値３０１まで除去する。
【００２６】
図４は、ピーク成分を除去した状態のＩ／Ｑベースバンド信号を示す図である。また、図５は、ピーク成分を除去した状態のＩ／Ｑベースバンド信号を周波数成分に分解した状態を示す図である。図５に示すように、フィルタ部１０５でフィルタリングする前には、サブキャリアＫの振幅は、閾値２０１よりも減衰量Ｈ１だけ大きい。
【００２７】
次に、フィルタ部１０５は、フィルタリングにより、Ｉ／Ｑベースバンド信号の不要な高周波帯域の成分を除去する。
【００２８】
図６は、フィルタ部１０５で不要な高周波帯域の成分を除去したＩ／Ｑベースバンド信号を周波数成分に分解した状態を示す図である。図６より、シンボルマッピング部１０２で振幅に重み付けしなかった場合には、フィルタ部１０５のフィルタ特性６０１により、サブキャリアＫにマッピングされた送信データの振幅は、本来閾値２０１まで抑圧すれば十分であるにも関わらず、閾値２０１よりもＨ１だけ振幅が小さくなってしまう。一方、シンボルマッピング部１０２で振幅に重み付けした場合には、フィルタ部１０５のフィルタ特性６０１の影響は受けるものの、シンボルマッピング部１０２は、サブキャリアＫにマッピングされた送信データに対して、図２に示すようにフィルタ特性の逆特性だけ振幅が大きくなるように重み付けするので、サブキャリアＫにマッピングされた送信データの振幅は丁度閾値２０１まで抑制される。
【００２９】
次に、直交変調部１０６は、Ｉ／Ｑベースバンド信号を直交変調して送信信号を生成し、送信ＲＦ部１０７は、送信信号をベースバンド周波数から無線周波数にアップコンバートし、アンテナ１０８は、送信信号を送信する。
【００３０】
例えば、変調方式としてＱＰＳＫを選択した場合で且つＩ−Ｑ平面上で半径「１」の円を想定した場合、各シンボルは、Ｉ成分及びＱ成分共に±１／√（１／２）の大きさの振幅になる。また、低域通過フィルタであるフィルタ部１０５のフィルタ特性を、Ａｋ（ｋはサブキャリア番号）にした場合、フィルタ特性の逆特性は１／Ａｋになる。従って、シンボルマッピング部１０２は、サブキャリアＫにマッピングされる送信データの振幅に対して、１／Ａｋの重み付け係数を乗算して重み付けする。
【００３１】
このように、本実施の形態１によれば、フィルタ特性により減衰する振幅の分だけ振幅が大きくなるようにあらかじめ振幅に対してサブキャリア毎に重み付けすることにより、緩やかなフィルタ特性のフィルタを用いることができるので、振幅の減衰を抑制することができるとともに回路規模の増大を抑制することができる一方で、不要成分を十分に抑圧することができるので信号品質を向上させることができる。
【００３２】
（実施の形態２）
図７は、本発明の実施の形態２に係るＯＦＤＭ送信装置７００の構成を示すブロック図である。
【００３３】
本実施の形態２に係るＯＦＤＭ送信装置７００は、図１に示す実施の形態１に係るＯＦＤＭ送信装置１００において、図７に示すように、高速フーリエ変換（以下「ＦＦＴ」と記載する）部７０２と乗算部７０３とＩＦＦＴ部７０４を追加し、シンボルマッピング部１０２の代わりにシンボルマッピング部７０１を有する。なお、図７においては、図１と同一構成である部分には同一の符号を付してその説明は省略する。
【００３４】
シンボルマッピング部７０１は、周波数軸上に配列した各サブキャリアに対して、変調方式及び符号化率に応じた送信データのシンボルマッピングを行う。そして、シンボルマッピング部７０１は、各サブキャリアにマッピングした送信データをＩＦＦＴ部１０３へ出力する。
【００３５】
第一周波数領域・時間領域変換手段であるＩＦＦＴ部１０３は、シンボルマッピング部７０１から入力した、マッピングにより周波数軸上の各サブキャリアに並べられた送信データをＩＦＦＴして時間領域から周波数領域へ変換することにより時間成分に分解する。そして、ＩＦＦＴ部１０３は、ＩＦＦＴした送信データをＩ／Ｑベースバンド信号としてピーククリップ部１０４へ出力する。
【００３６】
ピーククリップ部１０４は、ＩＦＦＴ部１０３から入力したＩ／Ｑベースバンド信号に対して、振幅が閾値以上の場合に、振幅が閾値以下になるように、閾値以上のピーク成分を除去する。そして、ピーククリップ部１０４は、ピーク成分を除去したＩ／Ｑベースバンド信号をＦＦＴ部７０２へ出力する。
【００３７】
時間領域・周波数領域変換手段であるＦＦＴ部７０２は、ピーククリップ部１０４から入力したＩ／Ｑベースバンド信号をＦＦＴして時間領域から周波数領域に変換することにより周波数成分に分解する。そして、ＦＦＴ部７０２は、ＦＦＴしたＩ／Ｑベースバンド信号を乗算部７０３へ出力する。
【００３８】
重み付け部１０１は、サブキャリア毎の重み付け係数をあらかじめ記憶している。具体的には、重み付け部１０１は、後述するフィルタ部１０５のフィルタ特性により信号の振幅が減衰する分だけ振幅を大きくするための重み付け係数を記憶している。そして、重み付け部１０１は、Ｉ／Ｑベースバンド信号が乗算部７０３に入力するタイミングで、記憶している重み付け係数を乗算部７０３へ出力する。
【００３９】
乗算部７０３は、重み付け部１０１から入力した重み付け係数を、ＦＦＴ部７０２から入力したＩ／Ｑベースバンド信号にサブキャリア毎に乗算することにより、Ｉ／Ｑベースバンド信号の振幅に対してサブキャリア毎に重み付けを行う。そして、乗算部７０３は、重み付けしたＩ／Ｑベースバンド信号をＩＦＦＴ部７０４へ出力する。
【００４０】
第二周波数領域・時間領域変換手段であるＩＦＦＴ部７０４は、乗算部７０３から入力したＩ／Ｑベースバンド信号をＩＦＦＴして周波数領域から時間領域に変換することにより時間成分に分解する。
【００４１】
フィルタ部１０５は、所定のフィルタ特性を有しており、ＩＦＦＴ部７０４から入力したＩ／Ｑベースバンド信号における不要な高周波帯域の成分を除去する。そして、フィルタ部１０５は、不要な高周波帯域の成分を除去したＩ／Ｑベースバンド信号を直交変調部１０６へ出力する。
【００４２】
次に、ＯＦＤＭ送信装置７００の動作について、説明する。
【００４３】
最初に、シンボルマッピング部７０１は、周波数軸上に配列した各サブキャリアに送信データをマッピングする。
【００４４】
次に、ＩＦＦＴ部１０３は、ＩＦＦＴにより、各サブキャリアにマッピングした送信データを、周波数領域信号から時間領域信号に変換する。時間領域に変換したＩ／Ｑベースバンド信号は、図３に示すようになる。
【００４５】
次に、ピーククリップ部１０４は、ピーク成分の振幅を閾値３０１まで除去する。ピーク成分を除去した後のＩ／Ｑベースバンド信号は、図４に示すようになる。また、ピーク成分を除去した後のＩ／Ｑベースバンド信号を周波数領域に変換した状態は図５に示すようになる。
【００４６】
次に、ＦＦＴ部７０２は、Ｉ／Ｑベースバンド信号をＦＦＴする。
【００４７】
次に、乗算部７０３は、周波数軸上に配列した各サブキャリアにマッピングされている送信データの振幅（電力）に対して、サブキャリア毎に重み付けを行う。重み付けした後の各サブキャリアの送信データは図２に示すようになる。
【００４８】
次に、ＩＦＦＴ部７０４は、ＩＦＦＴにより、送信データを周波数領域信号から時間領域信号に変換することにより時間成分に分解する。時間成分に分解したＩ／Ｑベースバンド信号は、すでにピーククリップ部１０４でピーク成分が除去されているので図４に示すようになる。
【００４９】
次に、フィルタ部１０５は、フィルタリングにより、Ｉ／Ｑベースバンド信号の不要な高周波帯域の成分を除去する。不要な高周波帯域の成分を除去した後のＩ／Ｑベースバンド信号は図６に示すようになる。
【００５０】
次に、直交変調部１０６は、Ｉ／Ｑベースバンド信号を直交変調して送信信号を生成し、送信ＲＦ部１０７は、送信信号をベースバンド周波数から無線周波数にアップコンバートし、アンテナ１０８は、送信信号を送信する。
【００５１】
このように、本実施の形態２によれば、フィルタ特性により減衰する振幅の分だけ振幅が大きくなるようにあらかじめ振幅に対してサブキャリア毎に重み付けすることにより、緩やかなフィルタ特性のフィルタを用いることができるので、振幅の減衰を抑制することができるとともに回路規模の増大を抑制することができる一方で、不要成分を十分に抑圧することができるので信号品質を向上させることができる。また、本実施の形態２によれば、シンボルマッピング部７０１とＩＦＦＴ部１０３とピーククリップ部１０４の構成は従来と同一構成なので、本実施の形態２の構成を実際の製品に適用する際に、従来の製品に対して大幅な構成の変更をする必要がなく、製造コストを低減することができる。
【００５２】
なお、上記実施の形態１及び実施の形態２において、振幅に対して重み付けしたが、これに限らず、フィルタリングによる位相変化を相殺するように、フィルタリングする前にあらかじめ位相に対して重み付けすることにより、フィルタリングする際の位相に対する影響を抑制することができる。また、上記実施の形態１及び実施の形態２において、ピーク成分の振幅を閾値まで抑圧したが、これに限らず、所定の抑圧量で振幅を抑圧することができる。また、上記実施の形態１及び実施の形態２において、フィルタにより不要な高周波帯域の成分を除去したが、これに限らず、任意の帯域の成分を除去する場合に適用することができる。
【産業上の利用可能性】
【００５３】
本発明にかかるＯＦＤＭ送信装置及びＯＦＤＭ送信方法は、特にしきい値以上のピークをカットした後にフィルタ処理により帯域外成分を除去するのに好適である。
【図面の簡単な説明】
【００５４】
【図１】本発明の実施の形態１に係るＯＦＤＭ送信装置の構成を示すブロック図
【図２】本発明の実施の形態１に係る各サブキャリアにマッピングされた重み付け後の送信データを示す図
【図３】本発明の実施の形態１に係る時間成分に分解したＩ／Ｑベースバンド信号を示す図
【図４】本発明の実施の形態１に係るピーク成分を除去した状態のＩ／Ｑベースバンド信号を示す図
【図５】本発明の実施の形態１に係るピーク成分を除去した状態のＩ／Ｑベースバンド信号を周波数成分に分解した状態を示す図
【図６】本発明の実施の形態１に係る不要な高周波帯域の成分を除去したＩ／Ｑベースバンド信号を周波数成分に分解した状態を示す図
【図７】本発明の実施の形態２に係るＯＦＤＭ送信装置の構成を示すブロック図
【図８】フィルタにより帯域外成分のみを除去した場合の理想状態を示す図
【図９】従来の不要な高周波帯域の成分を除去した状態のＩ／Ｑベースバンド信号を示す図
【符号の説明】
【００５５】
１００  ＯＦＤＭ送信装置
１０１  重み付け部
１０２  シンボルマッピング部
１０３  ＩＦＦＴ部
１０４  ピーククリップ部
１０５  フィルタ部
１０６  直交変調部
１０７  送信ＲＦ部
１０８  アンテナ
【図１】
2008104091.tif 000003
【図２】
2008104091.tif 000004
【図３】
2008104091.tif 000005
【図４】
2008104091.tif 000006
【図５】
2008104091.tif 000007
【図６】
2008104091.tif 000008
【図７】
2008104091.tif 000009
【図８】
2008104091.tif 000010
【図９】
2008104091.tif 000011